【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
中心線（24）を有する磁気テープトラック（22）を追跡するためのサーボシステム（110）であって、
ａ．トラック（22）の磁束反転に応答して、
（１） 第１のパルス幅（t24-t26）を有する第１の信号（t12-t26）と、
（２） 前記第１のパルス幅（t24-t26）とは異なる第２のパルス幅（t40-t42）を有する第２の信号（t28-t42）と、
（３） 前記第２のパルス幅（t40-t42）とは異なる第３のパルス幅（t58-t60）を有する第３の信号（t46-t60）と
を有する複数のパルスから成る複合信号（SP24）を発生するヘッド（112）と、
ｂ．前記複合信号（SP24）に応答して駆動信号（144）を発生するための弁別回路（111）であって、
（１） 前記第１のパルス幅（t24-t26）が第１の範囲内にあるときに、第１の同期信号（ＳＹＮＣ、t26）を提供し、前記第３のパルス幅（t58-t60）が前記第１の範囲内にあるときに、第２の同期信号（ＳＹＮＣ、t60）を提供する第１の範囲チェック回路（126）と、
（２） 前記第１の同期信号（ＳＹＮＣ、t26）に応答して第１の時刻（t26）を識別し、前記第２の信号（t28-t42）に応答して第２の時刻（t42）を識別し、および、前記第２の同期信号（ＳＹＮＣ、t60）に応答して第３の時刻（t60）を識別するタイミング回路（130）と、
（３） 前記第１の時刻（t26）および前記第２の時刻（t42）に応答して第１の継続時間（t26-t42）を決定し、前記第１の時刻（t26）および前記第３の時刻（t60）に応答して第２の継続時間（t26-t60）を決定し、前記第１の継続時間を前記第２の継続時間で割ったものである比を決定し、この比に応答して駆動信号（144）を発生する算術回路（132、138）
とを備える弁別回路（111）と、
ｃ．前記駆動信号（144）に応答してヘッド（112、113）を前記中心線（24）の方に移動させるヘッド位置決め器（114）
を備えるサーボシステム。
【請求項２】
中心線（24）を有する磁気テープトラック（22）を追跡するためのサーボシステム（110）であって、
ａ．トラック（22）の磁束反転に応答して、
（１）  第１のパルス幅（t24-t26）を有する第１の信号（t12-t26）と、
（２）  前記第１のパルス幅（t24-t26）とは異なる第２のパルス幅（t40-t42）を有する第２の信号（t28-t42）と、
（３）  前記第２のパルス幅（t40-t42）とは異なる第３のパルス幅（t58-t60）を有する第３の信号（t46-t60）と
を有する複数のパルスから成る複合信号（SP24）を発生するヘッド（112）と、
ｂ．前記複合信号（SP24）に応答して駆動信号（144）を発生するための弁別回路（111）であって、
（１）  前記第１のパルス幅（t24-t26）が第１の範囲内にあるときに、第１の同期信号（ＳＹＮＣ、t26）を提供し、前記第３のパルス幅（t58-t60）が前記第１の範囲内にあるときに、第２の同期信号（ＳＹＮＣ、t60）を提供する第１の範囲チェック回路（126）と、
（２）  前記第２のパルス幅（t40-t42）が第２の範囲内にあるときに、位置信号（ＰＯＳ）を提供する第２の範囲チェック回路（128）と、
（３）  前記第１の同期信号（ＳＹＮＣ、t26）に応答して第１の時刻（t26）を識別し、前記位置信号 （ＰＯＳ）に応答して第２の時刻（t42）を識別し、および前記第２の同期信号（ＳＹＮＣ、t60）に応答して第３の時刻（t60）を識別するタイミング回路（130）と、
（４）  前記第１の時刻（t26）および前記第２の時刻（t42）に応答して第１の継続時間（t26-t42）を決定し、前記第１の時刻（t26）および前記第３の時刻（t60）に応答して第２の継続時間（t26-t60）を決定し、前記第１の継続時間を前記第２の継続時間で割ったものである比を決定し、この比に応答して駆動信号（144）を発生する算術回路（132、138）
とを備える弁別回路（111）と、
ｃ．前記駆動信号（144）に応答して前記ヘッド（112、113）を前記中心線（24）の方に移動させるヘッド位置決め器（114）
を備えるサーボシステム。
【請求項３】
前記算術回路（132、138）が更に、前記比の複数の値の移動平均に応答して前記駆動信号（144）を提供する、請求項１または２に記載のサーボシステム。
【請求項４】
前記算術回路（132、138）が更に、基準値と前記比との差を決定し、その差に応答して前記駆動信号（144）を提供する、請求項１または２に記載のサーボシステム。
【請求項５】
ａ．前記第１の信号（t12-t26）は、正パルス（t20-t22）および負パルス（t24-t26）を有し、
ｂ．前記第１の範囲チェック回路（126）は、前記正パルス（t20-t22）が前記第１の範囲内の前記第１のパルス幅（t24-t26）を有し、前記負パルス（t24-t26）が前記第１の範囲内の前記第１のパルス幅（t24-t26）を有しているときに、前記第１の同期信号（ＳＹＮＣ、t26）を提供する
ことからなる、請求項１または２に記載のサーボシステム。
【請求項６】
ａ．前記第１の信号（t12-t26）は、順に、第１の極性を有する第１のパルス（t12-t14）、前記第１の極性とは反対の第２の極性を有する第２のパルス（t16-t18）、前記第１の極性を有する第３のパルス（t20-t22）、前記第２の極性を有する第４のパルス（t24-t26）を有し、
ｂ．前記第１の範囲チェッ ク回路（126）は、前記第１のパルス、前記第２のパルス、前記第３のパルス、および前記第４のパルスから構成される組の各パルスが、前記第１の範囲内の前記第１のパルス幅（t24-t26）を有するときに、前記第１の同期信号（ＳＹＮＣ、t26）を提供する
ことからなる、請求項１または２に記載のサーボシステム。
【請求項７】
ａ．前記算術回路（132、138）は更に、前記第２の継続時間（t26-t60）に応答して第１の範囲信号（ＲＡＮＧＥ、124）を決定し、
ｂ．前記第１の範囲チェック回路（126）は、前記第１の範囲信号（ＲＡＮＧＥ、124）に応答して前記第１の範囲を識別する
ことからなる、請求項１に記載のサーボシステム。
【請求項８】
前記第１の範囲チェック回路（126）が、
ａ．前記第１の信号（t12-t26）に応答して、前縁のエッジ信号（ＵＰ、212）および後縁のエッジ信号（ＤＮ、214）を提供するエッジ検出回路（210）と、
ｂ．クロック信号（ＣＫＡ、ＣＫＢ、224、228）を提供するクロック回路（220）と、
ｃ．前記第１の範囲信号（ＲＡＮＧＥ、124）に応答して前記第１の範囲を格納するレジスタ（216）と、
ｄ．前記前縁のエッジ信号（ＵＰ、212）に応答して、開始値として前記第１の範囲を受取り、前記後縁のエッジ信号（ＤＮ、214）に応答して、計数を止め、それにより最終計数値を決定するためのカウンタ回路（230、232）と、
ｅ．前記最終計数値に応答して、前記第１の同期信号（ＳＹＮＣ、t26）を提供する比較回路（234、236、246）
を備える、請求項７に記載のサーボシステム。
【請求項９】
テープの長さに沿った中心線（11）と複数のトラック（22、26）を有するテープ（10）を読み取る読み取りヘッド（112）を位置決めするための一様間隔の一連の磁化領域を、前記テープ（10）上に予備記録するための方法において、順に、
ａ．  書込みヘッド（12）を提供するステップであって、
（１）  前記書込みヘッドは、前記複数のトラックを横断して真っすぐに延在し、かつ、前記中心線（11）に沿って第１の長さ（14）を有する第１のギャップ（13）を備え、
（２）  前記書込みヘッドは、前記複数のトラック（22、26）を横断して延在し、かつ、前記中心線（11）に沿って前記第１の長さ（14）とは異なる第２の長さ（16）を有する第２のギャップ（15）を更に備え、
（３）  前記中心線（11）に平行な線に沿う前記第１のギャップ（13）と前記第２のギャップ（15）との間の最小距離（18）が、前記第１の長さ（14）より大きく、かつ前記第２の長さ（16）より大きい
ことからなる、ステップと、
ｂ．前記書込みヘッド（12）を操作して前記第１のギャップ（13）と前記第２のギャップ（15）に磁束を発生させるステップと、
ｃ．前記テープ（10）を前記中心線（11）に沿って前記最小距離（18）より少ない所定距離だけ移動させるステップと、
ｄ．前記書込みヘッド（12）を操作して前記第１のギャップ（13）と前記第２のギャップ（15）に磁束を発生させるステップと、
ｅ．ステップｂ．からｄ．までを繰り返して、前記複数のトラックの特定のトラック（22）に対して、前記読み取りヘッド（112）による検出のために前記一連の磁化領域を提供し、それにより、それぞれのパルス幅（t24-t26、t40-t42）に従って、前記第１のギャップ（13）に対して識別可能な複数の第１のパルス（t12-t26）と、前記第２のギャップ（15）に対して識別可能な複数の第２のパルス（t28-t42）を有し、かつ、前記読み取りヘッド（112）を前記特定のトラック（22）上に維持するための位置情報を伝える一つの第１のパルス（t24-t26）と一つの第２のパルス（t40-t42）との間の時間（t26-t42）を有する信号（SP24）を提供するステップ
を含む方法。
【請求項１０】
前記トラック（22、26）は前記中心線（11）に平行であることからなる、請求項９に記載の方法。